(57)【要約】【課題】  理想的な正しい睡眠をとるための枕を提供することにある。【解決手段】  枕カバー１９を被せて枕１０として使用される枕用芯材２０であって、当該枕用芯材２０は、上下二層構造となっており、上層３０及び下層４０はそれぞれ袋状に分かれた構成部を複数有しており、この構成部の数が上層３０よりも下層４０の方が多いことを特徴とする。【選択図】  図１
2018143337.tif 000002
【特許請求の範囲】
【請求項１】
枕カバーを被せて枕として使用される枕用芯材であって、
当該枕用芯材は、上下二層構造となっており、上層及び下層はそれぞれ袋状に分かれた構成部を複数有しており、この構成部の数が上層よりも下層の方が多いことを特徴とする枕用芯材。
【請求項２】
上層の構成部には、頭部を支持するための縦に２分割された頭部支持部と、頭部支持部の下端側に首部を支持するための首部支持部と、頭部支持部および首部支持部の両側に設けられた左右各サイド部とを有し、
下層の構成部には、頭部を支持するための縦に２分割された頭部支持部と、頭部支持部の下端側に首部を支持するための首部支持部と、頭部支持部および首部支持部の両側に設けられるとともに縦に２分割された左右各サイド部とを有したことを特徴とする請求項１記載の枕用芯材。
【請求項３】
上層の構成部には、下層の構成部よりも柔軟性のある部材を詰物として詰め込むことを特徴とする請求項１又は２記載の枕用芯材。
【請求項４】
上下層の構成部の全部又は一部は、立体キルトによって構成されていることを特徴とする請求項１から３のいずれかに記載の枕用芯材。
【請求項５】
上層又は／及び下層の全面又は一部に３次元立体メッシュを使用したことを特徴とする請求項１から４のいずれかに記載の枕用芯材。
【請求項６】
請求項１から５のいずれかに記載の枕用芯材に枕カバーを被せてなる枕。
【発明の詳細な説明】
【技術分野】
【０００１】
本願発明は、理想的な正しい睡眠をとることのできる枕に関する技術である。
【背景技術】
【０００２】
睡眠時間のとれない現代人にあっては、質の良い睡眠をとることが重要となってくる。
しかしながら、正しい枕をしていないために、腰痛や肩こり・浅い呼吸の胸呼吸などにより全身が疲れてしまっている人が結構多く、また、健康面だけでなく、首のシワの原因など美容上の問題になることもある。
【０００３】
理想的な正しい睡眠とは、全身がリラックスし、ゆったりと腹式呼吸のできる自然な姿勢をとることにある。ゆっくりと深い呼吸のできる腹式呼吸は、眠りの呼吸とも言え、精神的にも安らぎのある呼吸である。また、腹式呼吸は鼻呼吸になるので、感染症の問題やいびきの緩和にもなる。本願発明者は、この理想的な正しい睡眠をとるための枕に関する技術を提供すべく、これまでに特許文献１及び２で開示されている枕を開発してきた。
【先行技術文献】
【特許文献】
【０００４】
【特許文献１】実用新案登録第３１０９４６４号公報
【特許文献２】実用新案登録第３１４５９７３号公報
【発明の概要】
【発明が解決しようとする課題】
【０００５】
そして、本願発明者は、さらに理想的な正しい睡眠をとることのできる枕を追求して、これまで開発してきた上記枕の改良を続け、ついに本願発明を完成するに至った。
【課題を解決するための手段】
【０００６】
本願発明の第１の発明は、枕カバーを被せて枕として使用される枕用芯材であって、当該枕用芯材は、上下二層構造となっており、上層及び下層はそれぞれ袋状に分かれた構成部を複数有しており、この構成部の数が上層よりも下層の方が多いことを特徴とするものである。
第２の発明は、上層の構成部に、頭部を支持するための縦に２分割された頭部支持部と、頭部支持部の下端側に首部を支持するための首部支持部と、頭部支持部および首部支持部の両側に設けられた左右各サイド部とを有し、下層の構成部に、頭部を支持するための縦に２分割された頭部支持部と、頭部支持部の下端側に首部を支持するための首部支持部と、頭部支持部および首部支持部の両側に設けられるとともに縦に２分割された左右各サイド部とを有したことを特徴とする同枕用芯材である。
第３の発明は、上層の構成部には、下層の構成部よりも柔軟性のある部材を詰物として詰め込むことを特徴とする同枕用芯材である。
第４の発明は、上下層の構成部の全部又は一部が、立体キルトによって構成されていることを特徴とする同枕用芯材である。
第５の発明は、上層又は／及び下層の全面又は一部に３次元立体メッシュを使用したことを特徴とする同枕用芯材である。
第６の発明は、上記第１から第６の発明に係る枕用芯材に枕カバーを被せてなる枕である。
【発明の効果】
【０００７】
本願発明によれば、以下のような効果を有する。
（１）枕に上下二層の枕用芯材を備えるとともに、上層及び下層はそれぞれ袋状に分かれた構成部を複数有しており、この構成部の数が上層よりも下層の方が多いことで、理想的な正しい睡眠をとるための枕を提供できる。
（２）すなわち、枕用芯材が上下二層になっていることで、型くずれのし難い枕となるが、さらに下層の方が上層よりも構成部の数（部屋の数）を多くすることで、下層においては構成部に詰め込む詰物の移動が制限されるので、より型くずれのし難い枕となる。その一方で、上層においては下層よりも構成部に詰め込む詰物の移動が緩和されるので、頭にフィットしやすくなる。その結果、頭にフィットする「柔軟性」と型くずれし難い「硬質性」という相反する性能を兼ね備えることができ、理想的な正しい睡眠をとるための枕を提供できるのである。
（３）さらに、上層の構成部には、下層の構成部よりも柔軟性のある部材を詰物として詰め込むことで、上層の「柔軟性」と下層の「硬質性」を高めることになり、より理想的な正しい睡眠をとるための枕を提供できる。
（４）上下層の構成部の全部又は一部を立体キルトによって構成することによって、構成部と構成部との間に形成される凹み（段差）を少なくすることができる。
（５）上層又は／及び下層の全面又は一部に３次元立体メッシュを使用したことで、汗を素速く吸収・放散でき、汗で蒸れる状態を防止することができる。
【図面の簡単な説明】
【０００８】
【図１】本願発明の実施形態を示す説明図（１）。
【図２】本願発明の実施形態を示す説明図（２）。
【図３】本願発明の実施形態を示す説明図（３）。
【発明を実施するための形態】
【０００９】
本考案の実施形態を図面に基づいて説明する。
図１〜３は、本願発明の実施形態を示す説明図である。
図１は、本願発明に係る枕１０を図示する平面図である。枕１０は、枕カバー１９を被せてその中に枕用芯材２０を備えている。
【００１０】
図２は、本願発明に係る枕用芯材２０を図示する平面図であり、図示からは上下二層のうちの上層３０が図示されている。枕用芯材２０の上層３０は、５つの構成部からなっている。まず、中央部分に頭部を支持するための縦に２分割された頭部支持部３１Ａ，３１Ｂと、頭部支持部３１Ａ，３１Ｂの下端側に首部を支持するための首部支持部３２を備える。また、頭部支持部３１Ａ，３１Ｂおよび首部支持部３２の両側には、左サイド部３３と右サイド部３４を設ける。この枕用芯材２０の上層３０の各構成部３１Ａ，３１Ｂ，３２，３３，３４は袋状に形成され、その中に詰物を詰め込んでいる。
【００１１】
そして、上層３０は、頭部を支持するための頭部支持部３１Ａ，３１Ｂと、頭部支持部の下端側に首部を支持するための首部支持部３２を備えることで、首に負担をかけずに、正しい頸椎バランスを保つことができる。また、頭部支持部３１Ａ，３１Ｂおよび首部支持部３２の両側に左サイド部３３，右サイド部３４を備えることで、横向き寝や寝返りをうっても頭をしっかりと支えることができる。さらに、頭部支持部は、縦に２分割された頭部支持部３１Ａと頭部支持部３１Ｂとからなっているので、枕と後頭部のなじみが良くなり、寝返り時もスムーズに頭を動かすことができる。
【００１２】
図３は、本願発明に係る枕用芯材２０を図示する裏面図であり、図示からは上下二層のうちの下層４０が図示されている。枕用芯材２０の下層４０は、７つの構成部からなっている。上層３０と異なるのは、左サイド部及び右サイド部がそれぞれ縦に２分割されて、左サイド部４３Ａ，４３Ｂ及び右サイド部４４Ａ，４４Ｂとなっている点である。その他は、上層３０と共通する。この枕用芯材２０の下層４０の各構成部４１Ａ，４１Ｂ，４２，４３Ａ，４３Ｂ，４４Ａ，４４Ｂは袋状に形成され、その中に詰物を詰め込んでいる。
【００１３】
このように、枕用芯材２０では、上層３０の構成部が５つ、下層４０の構成部が７つで、下層４０の方が上層３０よりも構成部の数（部屋の数）を多くなっている。こうすることで、下層４０においては構成部に詰め込む詰物の移動が制限されることになり、より型くずれのし難い枕となる。これに対して、上層３０においては下層４０よりも構成部に詰め込む詰物の移動が緩和されるので、頭にフィットしやすくなる。その結果、頭にフィットする「柔軟性」と型くずれし難い「硬質性」という相反する性能を兼ね備えることができ、理想的な正しい睡眠をとるための枕を実現できた。
【００１４】
また、上層３０の構成部には、下層４０の構成部よりも柔軟性のある部材を詰物として詰め込むことで、上層３０の「柔軟性」と下層４０の「硬質性」を高めることができる。例えば、上層３０には綿状（ウールノップス）のもの、下層４０には樹脂製（パイプ材やビーズ材）のものなどである。
【００１５】
さらに、枕用芯材２０には、次のような工夫を加えてもよい（図２及び図３を参照）。
（１）上下層の構成部の全部又は一部を立体キルトによって構成すること。立体キルト（立体縫製）を採用することで、構成部と構成部との間に形成される凹み（段差）を少なくし、寝心地の良い枕を提供できる。
（２）上層又は／及び下層の全面又は一部に３次元立体メッシュを使用すること。メッシュが盛り上がっているため汗を素早く吸収・放散し、サラサラ感を保ち、汗で頭や首が蒸れて寝苦しくならないようにできる。
（３）枕用芯材２０の下端側を湾曲させて肩フィットライン３６，４６を形成すること。肩フィットライン３６，４６を形成したことで、枕と肩ラインがフィットすることにより枕と一体感ができ、精神的な落ち着きが期待できる。
【００１６】
その他に、このような構成からなる枕用芯材２０の寸法の一例としては、横幅を７０ｃｍ、奥行きを３３〜４０ｃｍとするとよい。通常の枕より横幅を広くすることで、大きく寝返りをうってもしっかりと支えられ、通常の枕より奥行きを浅くすることで、頭部の熱をよりスムーズに逃がすことができるからである。
【産業上の利用可能性】
【００１７】
本願発明の構造は、広く理想的な正しい睡眠をとるために枕として幅広く利用されるものである。
【符号の説明】
【００１８】
１０  枕            １９  枕カバー            ２０  枕用芯材
３０  上層          ３１Ａ  頭部支持部（左）  ３１Ｂ  頭部支持部（右）
３２  首部支持部    ３３  左サイド部          ３４  右サイド部
３６  首フィットライン
４０  下層          ４１Ａ  頭部支持部（左）  ４１Ｂ  頭部支持部（右）
４２  首部支持部    ４３Ａ  左サイド部（左）  ４３Ｂ  左サイド部（右）
４４Ａ  右サイド部（左）  ４４Ｂ  右サイド部（右）
４６  首フィットライン
【図１】
2018143337.tif 000003
【図２】
2018143337.tif 000004
【図３】
2018143337.tif 000005